(57)【特許請求の範囲】
【請求項１】
磁石の磁力のみにより釣り針を保持する釣り針保持部を有する釣り竿であって、
前記釣り竿は、
シャフトと、
グリップと、
前記磁石を支持し前記シャフトに着脱可能な磁石ケースと
を備え、
前記磁石は、
前記釣り竿の先端側に面する第１釣り針保持面と、
前記釣り竿の根元側に面する第２釣り針保持面と
を有する
ことを特徴とする釣り竿。
【請求項２】
請求項１に記載の釣り竿において、
前記釣り針は、前記釣り竿の種類に応じたルアーに取り付けられており、
前記磁石の前記磁力は、前記第１釣り針保持面又は前記第２釣り針保持面を下方に向け且つ前記釣り針のベンド部を前記第１釣り針保持面又は前記第２釣り針保持面に接触させた場合に、前記磁石の前記磁力のみにより前記ルアー及び前記釣り針を保持可能な強さである
ことを特徴とする釣り竿。
【請求項３】
請求項１又は２に記載の釣り竿において、
前記釣り竿は、前記磁石ケースを前記シャフトに固定する弾性環状部材を備え、
前記磁石ケースは、
前記磁石を支持する磁石支持部と、
前記シャフトと接触する脚部と、
前記弾性環状部材を取り付ける取付部と
を備える
ことを特徴とする釣り竿。
【請求項４】
釣り針を保持する磁石と、
前記磁石を支持し釣り竿のシャフトに取り付けられる磁石ケースと
を備え、
前記磁石の磁力のみにより前記釣り針を保持し、
前記磁石は、
前記釣り竿の先端側に面する第１釣り針保持面と、
前記釣り竿の根元側に面する第２釣り針保持面と
を有する
ことを特徴とするフックキーパー。
【発明の詳細な説明】
【技術分野】
【０００１】
本発明は、釣り竿及びフックキーパーに関し、より詳細には、ポイントの移動中等における釣り針の保持及び取り外しを簡易に行うことができる釣り竿及びフックキーパーに関する。
【背景技術】
【０００２】
特許文献１には、釣り針保持装置及び方法が開示されている（要約）。特許文献１では、釣り竿のシャフトに固定される保持装置が用いられる。一実施形態において、保持装置はスリーブ（１２）であり、このスリーブは、スリーブ内部に設けられた磁石（３２）と、スリーブの上部で延在する案内部（channel）（２０）を有する（図１〜図１０）。釣り針（１３）は、案内部を介して案内されると共に、磁石により釣り針が引きつけられてスリーブに保持される（要約）。磁石（３２）は、釣り針（１３）が案内部（２０）内に挿入されることを容易にする（［００３３］）。
【先行技術文献】
【特許文献】
【０００３】
【特許文献１】米国特許出願公開第２００６／０２７７８１５号
【発明の概要】
【発明が解決しようとする課題】
【０００４】
上記のように、特許文献１の釣り針保持装置（１０）は、釣り針（１３）を案内して固定する案内部（channel）（２０）を備えるスリーブ（１２）を有する（要約、図１〜図１０）。また、スリーブ内の磁石（３２）が釣り針を引きつけることで、釣り針（１３）が案内部（２０）内に挿入されることを容易にする（［００３３］）。【０００５】
特許文献１の構成では、釣り針（１３）を保持装置（１０）に保持させる際、ユーザは、釣り針を案内部（２０）よりもグリップ側に移動させた後、案内部（２０）に対して釣り針を位置決めする必要がある。また、釣り針（１３）を保持装置（１０）から取り外す際、ユーザは、釣り針を案内部（２０）からグリップ側に移動させる必要がある。これらの作業は、ユーザが釣り針又は釣り針が取り付けられたルアー等を摘まんで行う必要がある。しかしながら、特許文献１の構成は、釣り針の保持及び取り外しの作業性又は利便性について改善の余地がある。【０００６】
本発明は上記のような課題を考慮してなされたものであり、釣り針の保持及び取り外しの作業性又は利便性を向上可能な釣り竿及びフックキーパーを提供することを目的とする。
【課題を解決するための手段】
【０００７】
本発明に係る釣り竿は、磁石の磁力のみにより釣り針を保持する釣り針保持部を有することを特徴とする。本発明によれば、磁石の磁力のみにより釣り針を保持する。これにより、釣り針を引っかける部分（例えば、特許文献１の案内部（２０））なしに釣り針を保持することができる。従って、ユーザの利便性を向上可能になると共に、釣り針を保持する構造を簡素化可能となる。【０００８】
前記磁石は、前記釣り針を保持する釣り針保持面を備えてもよい。また、前記釣り針保持面は、前記釣り竿の先端側に面してもよい。これにより、ユーザが釣り針を磁石の釣り針保持面に近付けるだけで釣り針が釣り針保持面に引きつけられて釣り針を保持可能となる。加えて、ユーザは、ルアー、釣り糸又は釣り針のいずれかを釣り竿の先端側へ引っ張るだけで釣り針保持面から取り外す（又は引き離す）ことが可能となる。従って、ユーザの利便性をさらに向上することができる。【０００９】
前記釣り針は、前記釣り竿の種類に応じたルアーに取り付けられてもよい。また、前記磁石の前記磁力は、前記釣り針保持面を下方に向け且つ前記釣り針のベンド部（屈曲部分）を前記釣り針保持面に接触させた場合に、前記磁石の前記磁力のみにより前記ルアー及び前記釣り針を保持可能な強さであってもよい。【００１０】
前記磁石は、グリップに固定されてもよい。その場合、前記釣り針保持面は、前記釣り竿の先端側に面してもよい。これにより、例えば、後付けされるフックキーパーの形で磁石を設ける場合と比較して、ユーザは、磁石の利用を直ぐに開始することが可能となる。また、リールを用いる構成では、磁石をシャフトに設ける場合と比較して、リールとグリップ（磁石）の位置関係により、磁石と釣り糸の干渉を防止し易くなることがある。従って、ユーザの利便性をさらに向上することができる。【００１１】
前記磁石は、前記グリップの周方向に沿って前記グリップに設けられてもよい。これにより、ユーザは、周方向の位置を意識することなく、磁石に対して釣り針を着脱可能となる。従って、ユーザの利便性をさらに向上することができる。【００１２】
或いは、前記釣り竿は、シャフトと、グリップと、前記磁石を支持し前記シャフトに着脱可能な磁石ケースとを備えてもよい。また、前記磁石は、前記釣り竿の先端側に面する第１釣り針保持面と、前記釣り竿の根元側に面する第２釣り針保持面とを有してもよい。これにより、ユーザは、釣り竿（又は磁石）の長手方向における磁石の向きを意識することなく磁石ケースをシャフトに取り付けることが可能となる。従って、ユーザの利便性をさらに向上することができる。【００１３】
前記釣り竿は、前記磁石ケースを前記シャフトに固定する弾性環状部材を備えてもよい。前記磁石ケースは、前記磁石を支持する磁石支持部と、前記シャフトと接触する脚部と、前記弾性環状部材を取り付ける取付部とを備えてもよい。これにより、磁石ケースを簡易にシャフトに固定することが可能となる。【００１４】
本発明に係る釣り竿は、磁力により釣り針を保持する磁石を有するものであって、
前記磁石は、前記釣り竿の先端側に面して前記釣り針を保持する釣り針保持面を備える
ことを特徴とする。【００１５】
本発明に係るフックキーパーは、
釣り針を保持する磁石と、
前記磁石を支持しシャフトに取り付けられる磁石ケースと
を備え、
前記磁石の磁力のみにより前記釣り針を保持する
ことを特徴とする。
【発明の効果】
【００１６】
本発明によれば、釣り針の保持及び取り外しの作業性又は利便性を向上可能となる。
【図面の簡単な説明】
【００１７】
【図１】本発明の第１実施形態に係る釣り竿の一部を示す斜視図である。
【図２】第１実施形態に係る前記釣り竿の一部を示す側面図である。
【図３】図３（ａ）は、第１実施形態のフックキーパーの一部の正面図であり、図３（ｂ）は、第１実施形態の前記フックキーパーの一部の側面図である。
【図４】本発明の第２実施形態に係る釣り竿の一部を示す斜視図である。
【図５】第２実施形態に係る前記釣り竿の一部を示す側面図である。
【図６】変形例に係る釣り竿の一部を示す斜視図である。
【図７】変形例に係るフックキーパーの一部の正面図である。
【発明を実施するための形態】
【００１８】
Ａ．第１実施形態
＜Ａ−１．構成＞
［Ａ−１−１．全体構成］
図１は、本発明の第１実施形態に係る釣り竿１０の一部を示す斜視図である。図２は、第１実施形態に係る釣り竿１０の一部を示す側面図である。図１及び図２に示すように、釣り竿１０は、シャフト２０と、グリップ３０とを有する。グリップ３０近傍には、図示しないリール（ベイトリール、スピニングリール等）が取り付けられる。また、リールから延びる釣り糸４０（図２）の先端には、ルアー５０（図２）が結びつけられている。
【００１９】
さらに、図１及び図２に示すように、第１実施形態の釣り竿１０のシャフト２０は、フックキーパー６０が取り付けられている。フックキーパー６０は、磁石６２（図１）を有し、ルアー５０の釣り針５２（図２）を保持する。
【００２０】
［Ｂ−１−２．グリップ３０］
図２に示すように、グリップ３０は、リアコルク３２と、ウッドスペーサ３４と、フォアコルク３６とを有する。リアコルク３２、ウッドスペーサ３４及びフォアコルク３６は、それぞれ円柱状又は円錐台状を基調とする。リアコルク３２は、釣り竿１０の根元側に配置され、ユーザが実際に手で握る部位である。ウッドスペーサ３４は、リアコルク３２よりも釣り竿１０の先端側に配置され、金具３８を用いて図示しないリールを取り付ける部位である。リアコルク３２よりも根元側には、リアコルク３２、ウッドスペーサ３４及びフォアコルク３６を固定するラバーエンドキャップ（図示せず）が設けられる。フォアコルク３６は、リアコルク３２及びウッドスペーサ３４よりも釣り竿１０の先端側に配置され、ラバーエンドキャップと合わせてリアコルク３２及びウッドスペーサ３４を固定する。
【００２１】
［Ａ−１−３．フックキーパー６０］
図３（ａ）は、第１実施形態のフックキーパー６０の一部の正面図であり、図３（ｂ）は、第１実施形態のフックキーパー６０の一部の側面図である。上記のように、フックキーパー６０は、シャフト２０に取り付けられるものであり、磁石６２の磁力のみによりルアー５０の釣り針５２を保持する釣り針保持部として機能する。図１に示すように、フックキーパー６０は、磁石６２と、磁石ケース６４と、輪ゴム６６（弾性環状部材）とを有する。
【００２２】
磁石６２は円柱状であり、その第１底面６２０ａ及び第２底面６２０ｂ（図３（ａ）及び図３（ｂ））のいずれもが、釣り針５２を保持する釣り針保持面として機能する。以下、第１底面６２０ａ及び第２底面６２０ｂを、第１釣り針保持面６２０ａ及び第２釣り針保持面６２０ｂとも言うと共に、釣り針保持面６２０と総称する。磁石６２は、円柱状以外の形状（例えば、直方体状又は環状）であってもよい。磁石６２は、磁石６２のみで釣り針５２を保持する磁力を有する（詳細は後述する。）。
【００２３】
磁石ケース６４を介してシャフト２０に取り付けられた状態で、第１底面６２０ａ（第１釣り針保持面）は、釣り竿１０の先端側に面する又は露出している。また、第２底面６２０ｂ（第２釣り針保持面）は、釣り竿１０の根元側に面する又は露出している。磁石６２及び磁石ケース６４は、釣り竿１０（又は磁石６２）の長手方向の中心線に対して線対称である。そのため、第１底面６２０ａ及び第２底面６２０ｂの位置をひっくり返しても同じ形状となる。
【００２４】
磁石ケース６４は、磁石６２を支持するものであり、輪ゴム６６を介してシャフト２０に対して着脱可能である。図３（ａ）及び図３（ｂ）に示すように、磁石ケース６４は、磁石支持部６４０と、脚部６４２と、輪ゴム取付部６４４とを有する。磁石支持部６４０は、磁石６２を支持する部位である。第１実施形態の磁石支持部６４０は、円柱状の磁石６２の周囲を覆う円筒状である。
【００２５】
脚部６４２は、シャフト２０と接触する部位である。脚部６４２は、シャフト２０の長手方向に見たとき円弧状（シャフト２０に向かって凹となる）であり、長手方向におけるいずれの断面も同じ形状である。これにより、脚部６４２は、シャフト２０を収容する凹部を形成する。なお、脚部６４２の湾曲がシャフト２０の湾曲と一致しなくても、脚部６４２をシャフト２０に対して位置決め可能である。
【００２６】
輪ゴム取付部６４４は、輪ゴム６６（図１）を取り付ける部位である。図３（ａ）及び図３（ｂ）に示すように、輪ゴム取付部６４４は、輪ゴム６６を引っかけるための基部６４４０と、輪ゴム６６が基部６４４０から外れるのを防止する返し部６４４２とを有する。基部６４４０は、磁石支持部６４０からシャフト２０の径方向外側に延在し、シャフト２０（又は磁石６２）の長手方向において比較的短い（図３（ｂ）参照）。返し部６４４２は、基部６４４０よりもシャフト２０の径方向外側に配置され、シャフト２０の長手方向において比較的長い（図３（ｂ）参照）。
【００２７】
輪ゴム６６（図１）は、磁石ケース６４をシャフト２０に固定する。具体的には、ユーザは、輪ゴム６６の一部を輪ゴム取付部６４の基部６４４０に引っかけた後、輪ゴム６６をシャフト２０の周囲に巻き付け、その後、輪ゴム６６の他部を逆方向から基部６４４０に引っかける（図１及び図２参照）。これにより、フックキーパー６０をシャフト２０に固定する。
【００２８】
＜Ａ−２．磁石６２の磁力＞
上記のように、磁石６２は、磁石６２のみで釣り針５２を保持する磁力を有する。より具体的には、磁石６２の磁力は、ユーザが釣り針５２又はルアー５０を持って釣り針５２を磁石６２（釣り針保持面６２０）に近付けると、釣り針５２を引きつける程度の強さである。また、磁石６２の磁力は、釣り針５２が磁石６２（釣り針保持面６２０）にくっついた状態で、ユーザが釣り針５２若しくはルアー５０又は釣り糸４０を引っ張ると、釣り針５２が磁石６２から容易に引き離される強さである。
【００２９】
上記のような磁力であるか否かは、例えば、以下のような方法で判定可能である。すなわち、磁石６２の釣り針保持面６２０を下方に向けた状態で釣り針５２（及びルアー５０）を釣り針保持面６２０に接触させる。手を離した状態で釣り針５２と磁石６２が接触状態を保てる場合、上記のような磁力を実現し得る。
【００３０】
ここで、釣り針５２側の重さの合計（以下「合計重さＷｇ」ともいう。）は、釣り竿１０の種類毎に設定する基準値を用いることができる。例えば、釣り竿１０がトラウト用である場合、トラウト釣りに一般的に用いられるルアー５０及び釣り針５２の合計重さＷｇを用いる。トラウト用の合計重さＷｇは、例えば、０．４〜２８ｇである。釣り竿１０がブラックバス用である場合、ブラックバス用の合計重さＷｇは、例えば、３〜４０ｇである。釣り竿１０がシーバス用である場合、シーバス用の合計重さＷｇは、例えば、３〜５０ｇである。合計重さＷｇは、上記範囲における例えば中間値以上の値又は最大値を基準値として用いる。
【００３１】
また、釣り針５２の形状又は材質によっても、釣り針５２と磁石６２の接触状態に影響し得るため、釣り針５２も基準的なものを用いてもよい。例えば、釣り針５２として、GAMAKATSU PTE LTDのトレブルフック（サイズ１０、１２又は１４。特殊鋼製）を用いてもよい。
【００３２】
また、磁力が、釣り針５２と磁石６２の接触状態を保つ最小値又はそれに近い値である場合、釣り竿１０の移動に伴って釣り糸４０又はルアー５０若しくは釣り針５２が揺れると、ユーザの意図に反して釣り針５２が磁石６２から引き離れ易くなってしまう。換言すると、磁石６２による釣り針５２の保持は実用に耐えない。そこで、合計重さＷｇ（釣り針５２及びルアー５０の重さの合計）に加えて余裕値を加えた値を重さの基準値（以下「基準重さＷｒｅｆ」ともいう。）に用いてもよい。上記から明らかなように、基準重さＷｒｅｆは、釣り竿１０の種類毎（又は想定されるルアー５０の種類若しくは重さ）に分けて設定してもよい。例えば、トラウト、ブラックバス又はシーバス用の場合、基準重さＷｒｅｆは、例えば、８０〜２００ｇの範囲で設定してもよい。これにより、磁石６２による釣り針５２の保持を実用に耐え得るものにし易くすることができる。
【００３３】
上記のように釣り針５２側を基準重さＷｒｅｆとした状態で釣り針５２と磁石６２の接触状態を保つため、磁石６２の吸着力を例えば０．７５〜４．０ｋｇｆのいずれかの値で設定する。吸着力は、磁石６２の一面全体を鉄板に接触させた状態で、磁石６２を垂直方向（上方向）に引き、磁石６２が鉄板から離脱した際の力で定義される。このような吸着力を実現する磁石６２は、例えばネオジム製とすることができる。或いは、磁石６２は、サマコバ製又はフェライト製としてもよい。
【００３４】
表１は、上記のような磁石６２を実現するための、磁石６２の仕様毎の最大保持重さＷｍａｘの例を示す。磁石６２として、いずれもネオマグ株式会社製の磁石を用いた。
【００３５】
【表１】
0006981597.tif 000002
【００３６】
表１において、材質記号は、ネオマグ株式会社の基準に沿ったものであり、材料、磁束密度及び耐熱温度が変化する。最大保持重さＷｍａｘは、磁石６２の釣り針保持面６２０を下方に向け、釣り針５２及び重りを釣り針保持面６２０に接触させた後、手を離した状態で釣り針５２と磁石６２が接触状態を保てる最大の重さである。基準重さＷｒｅｆを最大保持重さＷｍａｘ以下とすることで、磁石６２による釣り針５２（及びルアー５０）の保持が可能となる。
【００３７】
なお、上記基準重さＷｒｅｆ及び最大保持重さＷｍａｘの大きさと吸着力の大きさが大きく異なっているのは、次の理由によるものと解される。すなわち、吸着力を測定する際は、磁石６２の一面（釣り針保持面６２０）全体が鉄板に対して接するため、吸着力が比較的大きな値となる。これに対し、釣り針５２と釣り針保持面６２０の接触は、釣り針５２の形状に起因して（釣り針５２のベンド部の一部のみが釣り針保持面６２０と接触して）非常に狭い領域で行われるため、基準重さＷｒｅｆ及び最大保持重さＷｍａｘが比較的小さな値となる。従って、仮に吸着力を表１に示す値よりもさらに大きくしても、ユーザが釣り針５２（及びルアー５０）を引き離す際に要する力は比較的小さいままである。よって、表１に示すよりも大きな吸着力を有する磁石６２を用いることも可能である。
【００３８】
＜Ａ−３．第１実施形態の効果＞
第１実施形態によれば、磁石６２の磁力のみにより釣り針５２を保持する（図２）。これにより、釣り針５２を引っかける部分（例えば、特許文献１の案内部（２０））なしに釣り針５２を保持することができる。従って、ユーザの利便性を向上可能になると共に、釣り針５２を保持する構造を簡素化可能となる。
【００３９】
第１実施形態において、磁石６２は、釣り針５２を保持する第１釣り針保持面６２０ａを備える（図３（ａ）及び図３（ｂ））。第１釣り針保持面６２０ａは、釣り竿１０の先端側に面している（図１及び図２）。これにより、ユーザが釣り針５２を磁石６２の第１釣り針保持面６２０ａ（釣り針保持面）に近付けるだけで釣り針５２が第１釣り針保持面６２０ａに引きつけられて釣り針５２を保持可能となる。加えて、ユーザは、ルアー５０、釣り糸４０又は釣り針５２のいずれかを釣り竿１０の先端側へ引っ張るだけで釣り針５２を第１釣り針保持面６２０ａから取り外す（又は引き離す）ことが可能となる。従って、ユーザの利便性をさらに向上することができる。
【００４０】
第１実施形態において、釣り竿１０は、シャフト２０と、グリップ３０と、磁石６２を支持しシャフト２０に着脱可能な磁石ケース６４とを備える（図１）。また、磁石６２は、釣り竿１０の先端側に面する第１釣り針保持面６２０ａと、釣り竿１０の根元側に面する第２釣り針保持面６２０ｂとを有する（図３（ａ）及び図３（ｂ））。これにより、ユーザは、釣り竿１０（又は磁石６２）の長手方向における磁石６２の向きを意識することなく磁石ケース６４をシャフト２０に取り付けることが可能となる。従って、ユーザの利便性をさらに向上することができる。
【００４１】
第１実施形態において、釣り竿１０は、磁石ケース６４をシャフト２０に固定する輪ゴム６６（弾性環状部材）を備える（図１）。磁石ケース６４は、磁石６２を支持する磁石支持部６４０と、シャフト２０と接触する脚部６４２と、輪ゴム６６を取り付ける輪ゴム取付部６４４（取付部）とを備える（図３（ａ）及び図３（ｂ））。これにより、磁石ケース６４を簡易にシャフト２０に固定することが可能となる。
【００４２】
Ｂ．第２実施形態
＜Ｂ−１．構成＞
［Ｂ−１−１．全体構成］
図４は、本発明の第２実施形態に係る釣り竿１０Ａの一部を示す斜視図である。図５は、第２実施形態に係る釣り竿１０Ａの一部を示す側面図である。図４及び図５に示すように、釣り竿１０Ａは、シャフト２０と、グリップ３０ａとを有する。以下では、第１実施形態と同様の構成要素に対して、同一の参照符号を付してその詳細な説明を省略する。
【００４３】
第１実施形態の釣り竿１０は、シャフト２０に後付けされるフックキーパー６０を有していた（図１及び図２）。換言すると、磁石６２がシャフト２０に後付けされた。これに対し、第２実施形態の釣り竿１０Ａでは、磁石６２ａは、釣り竿１０Ａの出荷時からグリップ３０ａに設けられている。
【００４４】
［Ｂ−１−２．グリップ３０ａ及び磁石６２ａ］
第１実施形態のグリップ３０（図２）と同様、第２実施形態のグリップ３０ａ（図５）は、リアコルク３２と、ウッドスペーサ３４と、フォアコルク３６とを有する。図４及び図５に示すように、第２実施形態では、第１実施形態と同様の円柱状の磁石６２ａ（ネオジム製）がグリップ３０ａに固定される。より具体的には、磁石６２ａは、グリップ３０ａのフォアコルク３６に埋め込まれる。これにより、釣り針５２を保持する磁石６２ａの釣り針保持面６２０（図４）は、釣り竿１０Ａの先端側に面する。
【００４５】
＜Ｂ−２．第２実施形態の効果＞
第２実施形態によれば、第１実施形態の効果に加えて又はこれに代えて、以下の効果を奏することができる。
【００４６】
第２実施形態において、磁石６２ａは、グリップ３０ａに固定されている（図４及び図５）。また、磁石６２ａは、釣り針５２を保持する釣り針保持面６２０を備え、釣り針保持面６２０は、釣り竿１０Ａの先端側に面している（図４）。これにより、例えば、後付けされるフックキーパー６０の形で磁石６２を設ける場合（図１及び図２）と比較して、ユーザは、磁石６２ａの利用を直ぐに開始することが可能となる。また、リールを用いる構成では、磁石６２をシャフト２０に設ける場合（図１及び図２）と比較して、リールとグリップ３０ａ（磁石６２ａ）の位置関係により、磁石６２ａと釣り糸４０の干渉を防止し易くなることがある。従って、ユーザの利便性をさらに向上することができる。
【００４７】
Ｃ．変形例
なお、本発明は、上記各実施形態に限らず、本明細書の記載内容に基づき、種々の構成を採り得ることはもちろんである。例えば、以下の構成を採用することができる。
【００４８】
＜Ｃ−１．釣り竿１０、１０Ａ＞
第１実施形態の釣り竿１０は、グリップ３０の上側にリール（ベイトリール）が配置されるベイトロッドを前提としていた（図２）。しかしながら、例えば、磁石６２の磁力のみにより（特許文献１の案内部（２０）のような構成無しに）釣り針５２を保持する観点からすれば、これに限らない。例えば、釣り竿１０は、グリップ３０の下側にリール（スピニングリール）が配置されるスピニングロッドであってもよい。第２実施形態も同様である。
【００４９】
＜Ｃ−２．釣り針５２＞
第１実施形態の釣り針５２は、ルアー５０に取り付けられたものであった（図２）。しかしながら、例えば、磁石６２の磁力のみにより（特許文献１の案内部（２０）のような構成無しに）釣り針５２を保持する観点からすれば、これに限らない。例えば、釣り針５２は、ルアー５０を介さずに釣り糸４０（又は図示しないハリス）に直接つながれてもよい。換言すると、釣り竿１０は、ルアー釣り用では無く、餌釣り用であってもよい。第２実施形態も同様である。
【００５０】
＜Ｃ−３．釣り針保持部＞
［Ｃ−３−１．磁石６２］
第１実施形態の磁石６２は、円柱状であった（図１、図３（ａ）及び図３（ｂ））。しかしながら、例えば、磁石６２の磁力のみにより（特許文献１の案内部（２０）のような構成無しに）釣り針５２を保持する観点からすれば、これに限らない。例えば、磁石６２は、角柱状又は環状若しくは円弧状であってもよい。第２実施形態も同様である。
【００５１】
その場合、上記のように、磁石６２の磁力は、ユーザが釣り針５２又はルアー５０を持って釣り針５２を磁石６２に近付けると、釣り針５２を引きつける程度の強さである。また、磁石６２の磁力は、釣り針５２が磁石６２にくっついた状態で、ユーザが釣り針５２若しくはルアー５０又は釣り糸４０を引っ張ると、釣り針５２が磁石６２から容易に引き離される強さである。
【００５２】
図６は、変形例に係る釣り竿１０Ｂの一部を示す斜視図である。第１変形例の釣り竿１０Ｂの磁石６２ｂは円環状であり、グリップ３０ｂの周方向に沿ってグリップ３０ｂ（フォアコルク３６）に設けられる。これにより、ユーザは、周方向の位置を意識することなく、磁石６２ｂに対して釣り針５２を着脱可能となる。従って、ユーザの利便性をさらに向上することができる。なお、円環状の磁石６２ｂの吸着力は、例えば、４．０〜１０．０ｋｇｆの範囲から選択することができる。
【００５３】
表２は、上記のような磁石６２ｂを実現するための、磁石６２ｂの仕様毎の最大保持重さＷｍａｘの例を示す。磁石６２ｂとして、いずれもネオマグ株式会社製の磁石を用いた。
【００５４】
【表２】
0006981597.tif 000003
【００５５】
表２の各項目の定義は、表１と同様である。表２におけるリング型磁石の形状は、外径、内径及び厚みを示す。
【００５６】
第１実施形態の磁石６２は、釣り針保持面６２０ａ、６２０ｂが露出していた（図１、図３（ａ）及び図３（ｂ））。しかしながら、例えば、磁石６２の磁力のみにより（特許文献１の案内部（２０）のような構成無しに）釣り針５２を保持する観点からすれば、これに限らない。例えば、磁石６２は、防錆用のニッケルメッキ等の被覆部材を介して外部に面してもよい。第２実施形態も同様である。
【００５７】
第１実施形態の磁石６２は、２つの釣り針保持面６２０ａ、６２０ｂを有していた（図３（ｂ））。しかしながら、例えば、磁石６２の磁力のみにより（特許文献１の案内部（２０）のような構成無しに）釣り針５２を保持する観点からすれば、これに限らない。例えば、磁石６２は、１つの釣り針保持面６２０ａのみを有してもよい。
【００５８】
第１実施形態では、釣り針５２を保持する第１釣り針保持面６２０ａは、釣り竿１０の先端側に面していた（図１、図２）。しかしながら、例えば、磁石６２の磁力のみにより（特許文献１の案内部（２０）のような構成無しに）釣り針５２を保持する観点からすれば、これに限らない。例えば、第１釣り針保持面６２０ａは、釣り竿１０の側面側（例えば図２の上下方向）に面してもよい。第２実施形態も同様である。
【００５９】
第１実施形態では、磁石ケース６４及び輪ゴム６６を介して磁石６２をシャフト２０に後付け可能（又は着脱可能）とした（図１〜図３（ｂ））。しかしながら、例えば、磁石６２をシャフト２０に設ける観点からすれば、これに限らない。例えば、磁石６２を接着剤等の固定手段でシャフト２０に設けてもよい。その場合、磁石６２をラバー磁石（ネオジムラバー等）で構成してもよい。或いは、シャフト２０自体の一部を磁石６２で構成してもよい。換言すると、磁石ケース６４又は輪ゴム６６を省略してもよい。
【００６０】
［Ｃ−３−２．磁石ケース６４］
第１実施形態の磁石ケース６４は、脚部６４２と反対側に輪ゴム取付部６４４を設けた（図３（ａ）及び図３（ｂ））。しかしながら、例えば、磁石ケース６４に輪ゴム６６を取り付ける観点からすれば、これに限らない。
【００６１】
図７は、変形例に係るフックキーパー６０ａの一部の正面図である。図７のフックキーパー６０ａは、輪ゴム取付部６４４が磁石６２又は磁石ケース６４ａの磁石支持部６４０の左右に２つ存在する。これにより、フックキーパー６０ａ全体についてシャフト２０からの距離（図２における上下方向の距離）が短くなり、フックキーパー６０と釣り糸４０（図示しないリールと釣り竿１０の先端の間の部分）とが干渉する可能性を低くすることが可能となる。
【００６２】
［Ｃ−３−３．輪ゴム６６（弾性環状部材）］
第１実施形態では、輪ゴム６６を用いてフックキーパー６０をシャフト２０に固定した（図１）。しかしながら、例えば、フックキーパー６０をシャフト２０に固定する観点からすれば、これに限らず、輪ゴム６６以外の弾性環状部材（例えばＯリング）を用いてもよい。
【００６３】
［Ｃ−３−４．その他］
第１実施形態では、フックキーパー６０（又は磁石６２）のみを釣り針保持部として利用した（図１及び図２）。しかしながら、例えば、釣り時のポイントの移動用（釣り時保持用）に磁石６２を用いる観点からすれば、これに限らない。例えば、ポイントの移動用（釣り時の釣り針５２保持用）にフックキーパー６０（又は磁石６２）を用いる一方で、釣り竿１０を自動車等に積んで長距離移動する際又は自宅で保管する際にはより強固に釣り針５２を固定するための別のフックキーパー（例えば特許文献１の構成）を設けてもよい。第２実施形態も同様である。
【符号の説明】
【００６４】
１０、１０Ａ、１０Ｂ…釣り竿        ２０…シャフト
３０…グリップ
３０ａ、３０ｂ…グリップ（釣り針保持部）
６０、６０ａ…フックキーパー（釣り針保持部）
６２、６２ａ…磁石                  ６４、６４ａ…磁石ケース
６６…輪ゴム（弾性環状部材）        ６２０…釣り針保持面
６２０ａ…第１釣り針保持面（釣り針保持面）
６２０ｂ…第２釣り針保持面（釣り針保持面）
６４０…磁石支持部                  ６４２…脚部
６４４…輪ゴム取付部（取付部）
【要約】
釣り針の保持及び取り外しの作業性又は利便性を向上可能な釣り竿及びフックキーパーを提供する。釣り竿（１０、１０Ａ、１０Ｂ）又はフックキーパー（６０、６０ａ）は、磁石（６２、６２ａ、６２ｂ）の磁力のみにより釣り針（５２）を保持する釣り針保持部を有する。磁石は、釣り竿の先端側に面して釣り針を保持する釣り針保持面（６２０ａ）を備えてもよい。磁石（６２）は、磁石ケース（６４、６４ａ）及び弾性環状部材（６６）を介してシャフト（２０）に取り付けられてもよい。或いは、磁石（６２ａ、６２ｂ）は、グリップ（３０ａ、３０ｂ）に固定されてもよい。【図１】
0006981597.tif 000004
【図２】
0006981597.tif 000005
【図３】
0006981597.tif 000006
【図４】
0006981597.tif 000007
【図５】
0006981597.tif 000008
【図６】
0006981597.tif 000009
【図７】
0006981597.tif 000010